(57)【要約】【課題】テーブルでの食事を容易に行うことができるように、車椅子に簡単に脱着でき、着座者の姿勢維持を補助する、着座姿勢補助装置を提供する。【解決手段】着座者の胸部をサポートする布地と、前記布地の左右より車椅子を繋げる伸縮性の帯と、帯の端を車椅子の支持部材に調整可能に固定する固定部材と、を備えた着座姿勢補助装置。【選択図】図１
2015024087.tif 000002
【特許請求の範囲】
【請求項１】
車椅子に着脱自在に取付けられて着座者の姿勢維持を補助し、姿勢調整可能な着座姿勢補助装置であって、前記着座者の胸部を背中方向に保持し柔軟素材からなる支持部材と、前記支持部材の両端と車椅子とを繋げる伸縮素材の支持帯と、前記支持帯の先端を車椅子の背面支持部に調整可能に取付ける固定部材と、を備えたことを特徴とする着座姿勢補助装置。
【請求項２】
請求項１記載の着座姿勢補助装置であって、前記支持部材を高さ方向に調整、保持する首掛け部と、を備えたことを特徴とする着座姿勢補助装置。
【請求項３】
請求項１記載の着座姿勢補助装置であって、前記着座姿勢補助装置と食事用エプロンとが一体となっていることを特徴とするエプロン一体タイプ着座姿勢補助装置。
【発明の詳細な説明】
【技術分野】
【０００１】
本発明は、既製品車椅子での食事時の着座者の姿勢維持を補助する車椅子用補助具に関する。
【背景技術】
【０００２】
車椅子用補助背もたれと、ロッドを取り付けてなる補助テーブルを設けている。
（例えば、特許文献１参照）。
ほかには、食べこぼしすることを前提に食べこぼしを袋状の収納部で受け止め、周囲が汚れるのを回避するものである。（例えば、特許文献２参照）
【先行技術文献】
【特許文献】
【０００３】
【特許文献１】特開平１０−３３７３０７号公報
【特許文献２】特開２００２−２６６１２２号公報
【発明の概要】
【発明が解決しようとする課題】
【０００４】
しかしながら、従来の方法は以下のような問題を有している。まず、車椅子用補助背もたれと、ロッドを取り付けてなる補助テーブルがあるが、取り付けが容易でなく１日３度の食事毎に付け外しを行うのは介護者の負担となる。ほかには、食べこぼしすることを前提に食べこぼしを袋状の収納部で受け止め、周囲が汚れるのを回避するものであるため、着座者は不快感を伴い、食後のエプロン清掃が必要となる。
【０００５】
そこで、本発明は上記課題に鑑みてなされたものであり、テーブルでの食事を容易に行うことができるように、車椅子に簡単に脱着でき、着座者の姿勢維持を補助する、着座姿勢補助装置を提供することを目的とする。
【課題を解決するための手段】
【０００６】
そこで本発明は上記課題を解決するためになされたものであり、着座者の胸部を背中方向に保持し柔軟素材からなる支持部材と、前記支持部材の両端と車椅子とを繋げる伸縮素材の支持帯と、前記支持帯の先端を車椅子の背面支持部に調整可能に取付ける固定部材と、を備えたことを特徴とする着座姿勢補助装置を備えたことを特徴とする。
【発明の効果】
【０００７】
以上の構成により、本発明は以下の効果を有するものである。すなわち、車椅子を利用する着座者は前傾姿勢を保つことを苦手とするが、本発明を使用することで着座者は楽に前傾姿勢を保つことができ、食事での食べこぼしを防止できる。さらに、伸縮性の帯を使用することにより着座者は力加減で前後左右に動くことができるので、完全に拘束される不快感を受けることなく食事を取ることができる。
また、本発明は着座者が車椅子に座った状態で脱着ができるため、１日３度の食事毎の介護者への負担を最小限にできる。
【図面の簡単な説明】
【０００８】
【図１】本発明の形態１に係る着座姿勢補助装置実施例を示す側面図である。
【図２】本発明の形態１に係る着座姿勢補助装置の詳細を示す正面図である。
【図３】本発明の形態２に係る着座姿勢補助装置の詳細を示す正面図である。
【図４】本発明の形態３に係るエプロン一体タイプ着座姿勢補助装置の詳細を示す正面図である。
【発明を実施するための形態】
【０００９】
本発明の請求項１記載の発明は、車椅子に着脱自在に取付けられて着座者の姿勢維持を補助し、姿勢調整可能な着座姿勢補助装置であって、前記着座者の胸部を背中方向に保持し柔軟素材からなる支持部材と、前記支持部材の両端と車椅子とを繋げる伸縮素材の支持帯と、前記支持帯の先端を車椅子の背面支持部に調整可能に取付ける固定部材と、を備えたことを特徴とする着座姿勢補助装置である。
【００１０】
これにより、着座者は両腕で支えることなく楽に前傾姿勢を保つことができ、また、両腕を自由に使えることで、食事での食べこぼしを防止できる。さらに、伸縮性の帯を使用することにより着座者は力加減で前後左右に動くことができるので、完全に拘束される不快感を受けることなく食事を取ることができる。
【００１１】
本発明の請求項２記載の発明は、請求項１記載の着座姿勢補助装置であって、前記支持部材を高さ方向に調整、保持する首掛け部と、を備えたことを特徴とする着座姿勢補助装置である。
【００１２】
これにより、胸部の支持部材を高さ調整できる。また、支持部材が下方向に落ちるのを防止できる。
【００１３】
本発明の請求項３記載の発明は、請求項１記載の着座姿勢補助装置であって、前記着座姿勢補助装置と食事用エプロンとが一体となっていることを特徴とする着座姿勢補助装置である。
【００１４】
これにより、着座姿勢補助装置の首掛け部とエプロン首掛け部が共用できるので、装着時の手間を省くことができる。また、着座姿勢補助装置とエプロンが一体となることで、エプロンが着座者にフィットしエプロンのだぶつきで食事の邪魔となることを解消できる。
【実施例】
【００１５】
以下、本発明の実施例について図面を参照して説明する。
【００１６】
（実施例）
図１は、本発明の形態１に係る着座姿勢補助装置２００の実施例を示す側面図である。着座者４００が請求項１の着座姿勢補助装置２００に補助されて前傾している。着座者４００の胸部を支持部材２０１で支え、支持部材２０１の両端を支持帯２０２が着座者４００の脇下を通り背中方向に引っ張っている。支持帯２０２の先端は固定部材２０３により、車椅子の背面支持部に固定されている。
【００１７】
着座姿勢補助装置２００の支持帯２０２は若干伸びた状態で収縮する力が発生していて、着座者４００の前傾する力と平衡状態を保っている。支持帯２０２は伸縮材料でできているため、着座者４００の力加減で現状の位置より前後左右に動くことができる。
【００１８】
図２は、本発明の形態１に係る着座姿勢補助装置２００の詳細を示す正面図である。図２において、前記着座者４００の胸部を背中方向に保持し柔軟素材からなる支持部材２０１と、前記支持部材２０１の両端と車椅子とを繋げる伸縮素材の支持帯２０２と、前記支持帯２０２の先端を車椅子の背面支持部１０１に調整可能に取付ける固定部材２０３により構成されている。固定部材２０３は、マジックテープを使用することで、長さ調整を行うことができ、着座者４００の体型や好みの前傾度に対応することができる。
【００１９】
図３は、本発明の形態２に係る着座姿勢補助装置２００の詳細を示す正面図である。請求項１記載の着座姿勢補助装置２００であって、前記支持部材２０１を高さ方向に調整、保持する首掛け部２０４と、を備えたことを特徴とする着座姿勢補助装置である。首掛け部２０４により、胸部の支持部材を高さ調整したり、下方向に落ちるのを防止するものである。
【００２０】
図４は、本発明の形態３に係るエプロン一体タイプ着座姿勢補助装置３００の詳細を示す正面図である。エプロン一体タイプ着座姿勢補助装置３００は、請求項１記載の着座姿勢補助装置２００であって、前記着座姿勢補助装置２００と食事用エプロンとが一体となっている。前記着座姿勢補助装置２００は、支持部材２０１でエプロン部３０１と一体となっていて、エプロン部３０１はエプロン首掛け３０２を備えている。
【符号の説明】
【００２１】
１００    車椅子
１０１    背面支持部
１０２    車輪
１０３    アームレスト
２００    着座姿勢補助装置
２０１    支持部材
２０２    支持帯
２０３    固定部材
３００    エプロン一体タイプ着座補助装置
３０１    エプロン部
３０２    エプロン首掛け
４００    着座者
【図１】
2015024087.tif 000003
【図２】
2015024087.tif 000004
【図３】
2015024087.tif 000005
【図４】
2015024087.tif 000006